【手続補正書】
【提出日】平成17年9月20日(2005.9.20)
【手続補正１】
【補正対象書類名】明細書
【補正対象項目名】特許請求の範囲
【補正方法】変更
【補正の内容】
【特許請求の範囲】
【請求項１】  器具によって患者の体腔に沿って所定位置まで移動される細長い可撓性シースであって、前記シースは、前記器具を受け入れるための閉口前端領域および反対側の後側端領域を有し、前記シースは、前記体腔への挿入が可能な前記器具の全長を実質的に受け入れるようになっている、シース。
【請求項２】  前記シースは、前記器具によって前記体腔中の所定位置に配置された際に膨張することが可能なバルーンであり、これにより、前記バルーンは、前記体腔中の所定位置に固定される請求項１記載のシース。
【請求項３】  前記バルーンが前記体腔外部において完全に膨張すると、少なくとも前記バルーンの主要部位はその長さに沿って実質的に一定の直径を有する請求項２記載のシース。
【請求項４】  前記シースは実質的に非弾性である請求項１乃至３記載のシース。
【請求項５】  前記シースの後側端領域は、前記器具周囲において固定されるようになっており、これにより前記器具を汚れから保護する請求項１乃至４記載のシース。
【請求項６】  前記シースは、前記シースの周囲内部管腔と別に設けられた前記器具を受け入れるための長手方向内部通路を有する請求項１乃至５記載のシース。
【請求項７】  前記シースは、前記器具の動作を制御するための前記器具の制御部を受け入れるようになっている請求項１乃至６記載のシース。
【請求項８】  前記器具は、前記シースを通じた前記体腔の視認作業を可能にするための器具である請求項１乃至７記載のシース。
【請求項９】  前記器具は内視鏡であり、前記シースは、前記内視鏡の制御機能が設けられた前記内視鏡のグリップ部を受け入れるようになっている請求項８記載のシース。
【請求項１０】  前記シースは、少なくとも１つの導管を有し、前記導管は、前記シースに沿って設けられ、前記前端領域において前記シース外部に対して開口し、これにより、前記シースまたは前記体腔の外部へのアクセスが可能となる請求項１乃至９記載のシース。
【請求項１１】  前記シースには、前記前端領域において前記シースの外部に流体を送達するための流体送達前記導管が設けられる請求項１０記載のシース。
【請求項１２】  前記シースには、前記体腔内部を吸引して、液体を前記シース前方から前記体腔外部へと撤退させることを可能にするための吸引前記導管が設けられる請求項１０または１１記載のシース。
【請求項１３】  前記シースは、前記体腔中での仕事が行われる際に前記バルーン前方へと用具を通過させるための用具送達前記導管を少なくとも１つ有する請求項１０乃至１２記載のシース。
【請求項１４】  前記用具は、前記体腔中において外科的な仕事を行うための外科用具である請求項１３記載のシース。
【請求項１５】  前記用具は、外傷部または出血部を焼灼するための用具、ポリープ除去または生検材料実施のための用具、および身体計測を行うための用具からなる群から選択される請求項１４記載のシース。
【請求項１６】  患者の体腔に沿って配置される細長いバルーンであって、前記バルーンは、前端領域および反対側の後側端領域を有し、前記バルーンの前端領域は、前記バルーンが前記器具に沿って設けられるように前記器具に接続されるようになっており、これにより、前記バルーンは、実質的に伸張した状態で前記器具によって前記体腔に沿って移動させられ、その際、前記バルーンの前端領域は、前記バルーンの後側領域の前方にある、バルーン。
【請求項１７】  前記バルーンは、前記器具によって前記体腔中の所定位置に配置された際に膨張することが可能なバルーンであり、これにより、前記バルーンを前記体腔中の所定位置に固定する請求項１６記載のバルーン。
【請求項１８】  前記バルーンが前記身体外部において完全に膨張すると、少なくとも前記バルーンの主要部位はその長さに沿って実質的に一定の直径を有する請求項１７記載のバルーン。
【請求項１９】  前記シースは実質的に非弾性である請求項１７または１８記載のバルーン。
【請求項２０】  前記バルーンは、少なくとも１つの導管を有し、前記導管は、前記シースに沿って設けられ、前記前端領域において前記バルーン外部に対して開口し、これにより、前記バルーンまたは前記体腔の外部へのアクセスが可能となる請求項１６乃至１９記載のバルーン。
【請求項２１】  前記バルーンには、前記バルーン前端領域の外部に流体を送達するための流体送達前記導管が設けられる請求項２０記載のバルーン。
【請求項２２】  前記バルーンには、前記体腔内部を吸引して、液体を前記シース前方から前記体腔外部へと撤退させることを可能にするための吸引前記導管が設けられる請求項１６乃至２１記載のバルーン。
【請求項２３】  前記バルーンは、前記体腔中での仕事が行われる際に前記バルーン前方へと用具を通過させるための用具アクセス前記導管を少なくとも１つ有する請求項１６乃至２２記載のバルーン。
【請求項２４】  前記用具は、前記体腔中において外科的な仕事を行うための外科用具である請求項２３記載のバルーン。
【請求項２５】  閉口前端領域および反対側の後側端領域を有する細長い膨張可能なシースであって、前記シースは、実質的に伸張状態で患者の体腔に沿って所定位置に移動されるようになっており、その際、前記シースの前端領域は前記後側端領域の前方にあり、前記シースは、少なくとも１つの導管を含み、前記導管は、前記シースに沿って設けられ、前記前端領域において前記シース外部に対して開口し、これにより、前記シースまたは前記体腔の外部へのアクセスが可能となる、シース。
【請求項２６】  前記バルーンは、前記器具によって前記体腔中の所定位置に配置された際に膨張することが可能なバルーンであり、これにより、前記バルーンを前記体腔中の所定位置に固定する請求項２５記載のバルーン。
【請求項２７】  前記バルーンが前記身体外部において完全に膨張すると、少なくとも前記バルーンの主要部位はその長さに沿って実質的に一定の直径を有する請求項２６記載のバルーン。
【請求項２８】  前記バルーンは実質的に非弾性である請求項２５乃至２７記載のバルーン。
【請求項２９】  前記シースには、前記シースの前端領域の外部に流体を送達するための流体送達前記導管が設けられる請求項２５乃至２８記載のバルーン。
【請求項３０】  前記シースには、前記体腔内部を吸引して、液体を前記シース前方から前記体腔外部へと撤退させることを可能にするための吸引前記導管が設けられる請求項２５乃至２９記載のバルーン。
【請求項３１】  前記シースは、前記体腔中での仕事が行われる際に前記バルーン前方へと用具を通過させるための用具送達前記導管を少なくとも１つ有する請求項２５乃至３０記載のバルーン。
【請求項３２】  前記用具は、前記体腔中において外科的な仕事を行うための外科用具である請求項３１記載のバルーン。
【請求項３３】  患者体腔に沿って器具によって駆動されて前記患者体腔に沿って載置されるように位置に配置される細長いバルーンであって、前記バルーンは、前記器具を受け入れるための閉口前端領域および反対側の後端領域を有し、前方膨張可能区画および後方膨張可能区画をさらに含み、前記前方膨張可能区画および後方膨張可能区画は、互いに選択的に膨張させることが可能である、バルーン。
【請求項３４】  前記前方膨張可能区画および後方膨張可能区画は、互いに選択的に収縮させることが可能である、請求項３３に記載のバルーン。
【請求項３５】  前記器具は、前記体腔内の視認を可能にするための器具であり、前記バルーンは、透明窓を採用し、前記透明窓は、前記バルーンに挿入された際に前記器具と整列されるように、前記バルーンの前端領域上に設けられる、請求項３３に記載のバルーン。
【請求項３６】  前記バルーンは、前記器具を受け入れるための縦方向通路を有し、前記縦方向通路は、前記前方膨張可能区画および後方膨張可能区画それぞれの周囲内部ルーメンから区切られる、請求項３３に記載のバルーン。
【請求項３７】  前記バルーンの少なくとも主要部分は、前記体腔外部において完全膨張状態にある際、その長さに沿って実質的に一定の直径を有する、請求項３３に記載のバルーン。
【請求項３８】  前記バルーンは、前記体腔内の出血部位にタンポナーデを行うためのタンポナーデバルーンである、請求項３７に記載のバルーン。
【請求項３９】  前記器具は、前記体腔内の視認を可能にするための器具であり、前記シースは、透明窓を採用し、前記透明窓は、前記シースに挿入された際に前記器具と整列されるように、前記シースの前端領域上に設けられる、請求項１または２５に記載のシース。